(57)【要約】【課題】所望の動作がされなかったときに装置の設定情報の変更に起因するかどうかの確認、判断ができ、確認後は、現在有効な設定情報に復帰できる通信端末装置を提供する。【解決手段】設定情報初期化スイッチ１ｃと、設定情報復帰スイッチ１ｄと、この設定情報初期化スイッチ１ｃが操作されたときに、機能選択、画質、濃度などユーザ側で設定変更可能とされた現在有効な標準設定情報を、設定値退避データエリア４ｂに一時的に退避させた後、それらの設定情報を工場出荷時の初期値に書き換える設定情報初期化手段２と、設定情報復帰スイッチ１ｄが操作されたときには、設定値退避データエリア４ｂに退避した設定情報を読み出し、現在有効な標準設定情報として書き換えて復帰させる設定情報復帰手段３とを備えている。【選択図】図１
2007074251.tif 000002
【特許請求の範囲】
【請求項１】
設定情報初期化スイッチと、設定情報復帰スイッチと、
この設定情報初期化スイッチが操作されたときに、機能選択、画質、濃度などユーザ側で設定変更可能とされた現在有効な標準設定情報を、設定値退避データエリアに一時的に退避させた後、それらの設定情報を工場出荷時の初期値に書き換える設定情報初期化手段と、
上記設定情報復帰スイッチが操作されたときには、上記設定値退避データエリアに退避した設定情報を読み出し、現在有効な標準設定情報として書き換えて復帰させる設定情報復帰手段とを備えている通信端末装置。
【請求項２】
請求項１において、
上記設定情報復帰手段は、上記設定情報初期化スイッチの操作によって、工場出荷時の初期値に戻した設定情報を、あらかじめ定められたグループ単位で、現在有効な標準設定情報として復帰できる構成にしている通信端末装置。
【請求項３】
請求項１において、
上記設定情報復帰スイッチは、上記設定情報初期化スイッチの再操作によって機能する構成にしている通信端末装置。
【請求項４】
請求項１において、
上記設定情報復帰手段は、設定情報初期化スイッチの操作後、所定時間経過したときには、上記一時退避した設定情報を読み出して、現在有効な標準設定情報として書き換え設定する構成にしている通信端末装置。
【発明の詳細な説明】
【技術分野】
【０００１】
本発明は、ファクシミリ装置、複写機、プリンタ、複合機など、ユーザの使用目的に応じて、ユーザ側で設定情報を標準値に変更して使用される通信端末装置の改良に関するものである。
【背景技術】
【０００２】
従来、ファクシミリ装置などの通信端末装置では、ユーザ側の使用目的に応じた動作をさせるため、種々の設定情報がユーザ側で変更設定ができるようになっている。例えば、複合機などでは、ファクシミリ装置、コピー装置、プリンタ装置、スキャナ装置などの機能選択の他、原稿の画質、濃度などの画像情報に関する設定や、リダイヤル回数、呼出ベル回数など多数あり、設定変更の頻度や設定変更操作方法も種々異なっている。
【０００３】
これらの装置設定は工場出荷時には、あらかじめ定められている初期値が設定されているが、利用者がその設定初期値を変更設定して、現在有効な標準値として記憶させておき、スイッチ操作やジョブ実行後のタイマー処理などで標準設定情報に復帰設定できるようにした装置が知られている。
【０００４】
すなわち、通常は標準設定となっているため、利用者は設定変更したいもののみを変更するだけで、所望のジョブを実行することができ、またジョブ実行後も、上記スイッチやタイマーによって簡単に標準設定情報に戻すことができる。
【０００５】
次の特許文献には、複写モードを設定したのち、所定時間が経過すれば複写モードがリセットされる画像形成装置が記載されている。
【特許文献１】特開平６−１７５４４４号公報
【発明の開示】
【発明が解決しようとする課題】
【０００６】
ところで、従来の通信端末装置では、ジョブを実行した際に動作が所望のものと異なっている場合には、設定リストを出力して装置設定の内容を確認できるようになっている。つまり、その内容を見れば、現状の標準設定が適切であるか否かを確認でき、リストを見ながら所望のものに設定変更することができる。
【０００７】
ところが、上記のように近年の装置は設定情報の種類が多数あり、何が正しく、何が誤っているのかを確認することは、決して容易ではない。また、多数の人が利用する職場などでは、知らないうちに標準設定が変えられてしまうこともあるため、標準設定情報そのものが予想していた内容でないこともあり、そのような場合には、標準設定されているうち、どの設定が不適切であるのかを判断することはきわめて困難である。
【０００８】
本発明は、このような事情を考慮して提案されたもので、その目的は、所望の動作がされなかったときに装置の標準設定情報の変更に起因するかどうかの確認、判断ができ、確認後は、現在有効な設定情報に復帰できる通信端末装置を提供する。
【課題を解決するための手段】
【０００９】
上記目的を達成するために、請求項１に記載の通信端末装置は、設定情報初期化スイッチと、設定情報復帰スイッチと、この設定情報初期化スイッチが操作されたときに、機能選択、画質、濃度などユーザ側で設定変更可能とされた現在有効な標準設定情報を、設定値退避データエリアに一時的に退避させた後、それらの設定情報を工場出荷時の初期値に書き換える設定情報初期化手段と、設定情報復帰スイッチが操作されたときには、設定値退避データエリアに退避した設定情報を読み出し、現在有効な標準設定情報として書き換えて復帰させる設定情報復帰手段とを備えている。
【００１０】
請求項２では、設定情報復帰手段は、設定情報初期化スイッチの操作によって、工場出荷時の初期値に戻した設定情報を、あらかじめ定められたグループ単位で、現在有効な標準設定情報として復帰できる構成にしている。
【００１１】
請求項３では、設定情報復帰スイッチは、設定情報初期化スイッチの再操作によって機能する構成にしている。
【００１２】
請求項４では、設定情報復帰手段は、設定情報初期化スイッチの操作後、所定時間経過したときには、一時退避した設定情報を読み出して、現在有効な標準設定情報として書き換え設定する構成にしている。
【発明の効果】
【００１３】
請求項１〜４に記載の通信端末装置によれば、設定情報初期化スイッチが操作されたときに、現在有効な標準設定情報を設定値退避データエリアに一時退避させてから工場出荷時の初期値に書き換える一方、設定情報復帰スイッチが操作されたときには、設定値退避データエリアに退避した設定内容を標準設定情報として復帰させるようにしているため、ファクシミリ送信などのジョブ実行時に所望の動作が実行されなかった場合、まず設定情報初期化スイッチで初期状態に戻したうえで、少しずつ設定を戻してゆき、そのつどテストジョブなどを実行すれば、いずれの装置設定が適切でないかを判断することができる。
【００１４】
請求項２に記載の通信端末装置によれば、あらかじめ定められたグループ単位で復帰することができるため、段階的にテストをして、迅速に設定の不備を見つけ出すことができる。
【００１５】
請求項３に記載の通信端末装置によれば、初期化スイッチの再操作により復帰できるので、操作が容易である。
【００１６】
請求項４に記載の通信端末装置によれば、初期化スイッチを操作してから所定時間後に標準設定情報が自動復帰されるので、元の設定に戻すのに操作が不要で、復帰操作忘れによる設定情報の復帰もれが防止できる。
【発明を実施するための最良の形態】
【００１７】
以下に、本発明の実施の形態について、図面を参照しながら説明する。
【実施例１】
【００１８】
図１は、本発明の通信端末装置の要部構成を示すブロック図である。本実施例では、通信端末装置としてファクシミリ装置を例示する。
【００１９】
本ファクシミリ装置１０は、ＭＰＵ、通信手段、原稿読取部、ＲＯＭ、表示部、印字部（以上、不図示）などと、さらに、送信ジョブの実行操作や種々の装置設定操作を可能とした操作部１、ＭＰＵやプログラムなどで構成された設定情報初期化手段２、設定情報復帰手段３、種々のデータを記憶するためのＲＡＭ等で構成された記憶部４、タイマー５を備えている。
【００２０】
本装置１０は、ファクシミリ受信、送信のファクシミリ基本機能を備えており、さらに、これらの基本機能は、装置設定を変更することにより種々の態様で実行できるように構成されている。装置の設定としては例えば、ダイヤル種別設定（プッシュ、ダイヤル１０、ダイヤル２０の選択）、発信元名設定（複数種の発信元名のうち１つを選択）、ナンバーディスプレイ設定（オン／オフ選択）、送信画像の画質設定（標準、高画質、超高画質、写真の選択）、濃度設定（薄、やや薄、普通、やや濃、濃の選択）などが挙げられる。これらの装置設定は、工場出荷時には所定の初期値に設定されており、操作部１に設けた複数の装置設定スイッチ１ａ・・・や操作パネルなどから、利用者が所望の内容に設定、変更できるようになっている。
【００２１】
また、本ファクシミリ装置１０では、これらの装置設定を利用者があらかじめ標準値として定義、記憶させることができ、操作部１に設けた標準設定呼出スイッチ１ｂの操作で、ワンタッチで標準値を呼び出して設定できるようになっている。なお標準値は、装置設定スイッチ１ａや操作パネルなどからあらかじめ登録できるようになっている。
【００２２】
また、装置設定の設定内容は、現在有効な標準設定情報として記憶部４の設定値データ４ｃに記憶されるようになっており、設定リストが要求されると、この設定値データ４ｃを読み出して出力される。
【００２３】
さらに本発明装置１０は、操作部１の設定情報初期化スイッチ１ｃの操作により装置設定を完全に工場出荷時の状態に初期化することができ、また初期状態にしたのち、設定情報復帰スイッチ１ｄの操作により標準設定の状態に復帰できることを特徴としている。このように動作させるために、記憶部４には工場出荷時の初期値データ４ａがあらかじめ記憶されており、また記憶部４には、初期化操作する前の標準設定状態を一時退避するための設定値退避データエリア４ｂを備えている。
【００２４】
なお、装置設定は例えばコピー、ＦＡＸ、プリンタ、スキャナなどの機能ごとにあらかじめグルーピングされており、それらグループに対応して設定情報復帰スイッチ１ｄは複数の復帰スイッチ１ｄ（＃１〜＃ｍ）に区分され、設定値退避データエリア４ｂもそのグループごとに区分されている。グループ区分された設定情報復帰スイッチ１ｄを順次操作することにより、装置設定を段階的に前の状態に復帰できるようにしている。
【００２５】
以下に、設定初期化および設定復帰の各動作の詳細について説明する。
【００２６】
図２は、本発明装置１０の設定情報初期化および設定情報復帰の動作を示したフローチャートである。
【００２７】
設定情報初期化スイッチ１ｃが操作されると、標準設定情報の内容をグループ単位で設定値退避データエリア４ｂに退避し、装置設定を初期状態に設定変更し、その内容で記憶部の設定値データ４ｃを更新し、初期化フラグをセットして、タイマーを起動する（ステップ１０１〜１０６）。
【００２８】
設定情報復帰スイッチ１ｄが操作されると、初期化フラグがオンになっていることを条件に、操作された設定情報復帰スイッチ１ｄに対応したグループの設定値退避データ４ｂを読み出して有効な標準設定として復帰させ、その内容で記憶部４の設定値データ４ｃを更新する（ステップ１０７〜１１０）。
【００２９】
設定情報初期化スイッチ１ｃの操作後、所定時間が経過したとき（タイムアップとなったとき）には、初期化フラグをリセットし、全グループの設定値退避データ４ｂを読み出して、そのデータを有効な標準設定情報として復帰させ、その内容で記憶部４の設定値データ４ｃを更新する（ステップ１１１〜１１４）。
【００３０】
なお、タイムアップまでに、段階的な復帰（ステップ１０７〜１１０）により全グループが標準設定情報に復帰された場合には、タイマーおよび初期化フラグをリセットする。
【００３１】
つまり以上の動作によれば、設定情報初期化スイッチ１ｃ操作により装置設定を初期化できる一方、その後の復帰スイッチ１ｄ操作により、初期化する前の標準設定に段階的に復帰させることができる。
【００３２】
そのため、ファクシミリ送信などのジョブ実行時に所望の動作が実行されなかった場合、まず設定情報初期化スイッチ１ｃで、工場出荷時の初期状態に戻し、設定情報復帰スイッチ１ｄを１つずつ操作して段階的に直近の設定に戻してゆき、そのつどテストジョブなどを実行すれば、いずれの装置設定が適切でないかを判断することができる。また、装置設定がグループ区分され、自由にグループを選択して復帰することができるため、疑わしい設定から順にテストすることができる。
【００３３】
このような段階的な設定復帰によるテスト方法によれば、どの段階で所望の動作をしなくなるかが段階的なテストジョブの実行により判別できるため、適切でない設定を、設定リストで確認する必要がなく、容易に見つけ出すことができる。
【００３４】
また、この方法によれば、工場出荷時の初期状態に戻してから順次テストを繰り返すため、標準設定の不備を見つけ出すことができる。特に、複数の利用者によって利用される装置の場合、知らないうちに標準設定が変更されることがあるが、そのような場合に有効である。
【００３５】
なお、本例ではタイマーで全復帰するようにしているが、設定初期化スイッチ１ｃの再操作により全復帰するようにしてもよい。
【実施例２】
【００３６】
図３は、本発明装置の設定情報復帰手段（設定復帰方法）の別例を示した図である。
【００３７】
本実施例では、操作パネルの操作にもとづいて段階的に設定復帰できるようになっている。図示するように、この設定復帰画面Ａには標準設定の設定内容が表示され、設定項目の左側には、復帰させる項目を選択できるためのチェックボックスＣが表示される。また、全項目の復帰も全復帰用のチェックボックスＣで選択できるようになっている。
【００３８】
設定情報初期化スイッチ１ｃ操作をしたのち、操作パネルに設定復帰画面Ａを表示すると、全ての装置設定について、初期化スイッチ１ｃ操作前に設定されていた設定内容が表示され、その画面で、チェックボックスＣを選択して復帰ボタンＢを操作すると、選択されたもののみが初期化前の状態に復帰する。
【００３９】
このような画面による復帰方法によれば、復帰させたい設定が自由に選択できるので、不備な設定をより早く見つけることができる。また、全復帰用のチェックボックスＣがあるため、全項目の復帰も簡単にできる。
【図面の簡単な説明】
【００４０】
【図１】本発明の通信端末装置の要部構成を示すブロック図である。
【図２】本発明の通信端末装置の基本動作を示すフローチャートである。
【図３】本発明の通信端末装置の他の設定復帰手段例を示した説明図である。
【符号の説明】
【００４１】
１０      通信端末装置
１      操作部
１ｃ      設定情報初期化スイッチ
１ｄ      設定情報復帰スイッチ
２      設定情報初期化手段
３      設定情報復帰手段
４      記憶部
４ａ      設定初期値データエリア
４ｂ      設定値退避データエリア
５      タイマー
【図１】
2007074251.tif 000003
【図２】
2007074251.tif 000004
【図３】
2007074251.tif 000005